(57)【要約】【課題】  電気分解式水素水生成器を一定時間使用すると、水へ溶存しているミネラルが、陰電極表面へ付着し、水素発生量が低減するという問題がある。現在行われている対処方法は、薬剤に長時間浸漬する洗浄方法が一般に行われている。この方法は、洗浄に手間を要し、その間は電極を使用できない。【解決手段】  電気分解電極用電源部１と電極３を接続する配線４の途中に付加できる、自動電極極性切り替え器具であって、交互に電極３の極性を切り替えることで、電気分解を行っている間も、電極３を洗浄することができる。また、該自動電極極性切り替え器具を駆動する為に、新な配線を必要とせずに、簡単に後付けができる事を特徴とする。【選択図】図１
2018047443.tif 000002
【特許請求の範囲】
【請求項１】
水素水生成装置に内蔵、又は水素水製造装置の電源部１と電極部３を結ぶ配線４の途中に、後付けが可能な電極極性切り替え器具であって、電源部１と電極部３の接続が、ジャック５により容易に取り外しできる装置に於いては、ジャック５を差し替えて、その配線４の途中に自動電極切り替え器具２を取り付けることにより、電極３の極性切り替え機能を持たない従来型装置に、電極３の極性切り替え機能を与えることができる事を特徴とする、自動電極極性切り替え器具。
【請求項２】
電源部１と主制御部６及び電流制御部７から構成され、電源部１は電極３に供給される電源電圧を、主制御部６内のマイコン駆動に最適な電圧に変換する回路を備えており、該電極切り替え器具を駆動させる為に、新たに別電源を供給する必要がない事を特徴とする、自動電極極性切り替え器具。
【請求項３】
該自動電極極性切り替え器具の電流制御部６は、双方向型（Ｈ型）フルブリッジ回路から構成されるもので、電源供給開始と供給停止機能・ＰＷＭ制御による電流調整機能・極性反転機能を有し、電流制御部から出力される電流値を、電圧信号または電流信号に変換して、外部へ出力する機能を有することを特徴とする。
【請求項４】
電極の極性を切り替える時期は、電源が投入された瞬間又は消滅する瞬間を検知し、電極への電流供給が無い状態に於いて、安全に行うことを特徴とする、或いは、電流制御部６が、電極３を流れる電流値を電圧信号または電流信号に変換し、主制御部６に於いてその信号を監視し、予め設定された電流値を下回る状態となり、電極部にミネラル等の不純物が堆積する状態となった場合に、主制御部６は電流制御部７にて電極３への電源供給を遮断し、電極３への電流供給が無くなった状態に於いて、安全に極性の切り替えを行うことを特徴とする自動電極極性切り替え器具。
【請求項５】
該電極切り替え器具は、外部機器との間で無線通信を行う機能を備え、スマートフォンなどから該電極切り替え器具を遠隔操作することにより、電極３に供給する電力を、予め設定された時間が経過した後に遮断できるタイマー機能を備え、経過時間や残り時間をスマートフォンの画面上に表示することで、電源切り忘れ対策など、安全性と利便性を向上させる事を特徴とする。
【発明の詳細な説明】
【技術分野】
【０００１】  本発明は、電気分解式水素水生成装置に後付け、または組み込み可能な、電極極性切り換え器具に関する。
【背景技術】
【０００２】  家庭向け浴用電気分解式水素水生成器、或いは大型浴用施設やプール等の商業施設に於いて、電気分解式水素水生成器を一定時間使用すると、水へ溶存している価電子２価以上のミネラルが、陰電極表面へ付着してくる。このミネラルは絶縁性の物質であることから、次第に電解電流が低減し、電気分解式水素水生成器に於ける、初期性能の水素発生量が低減するという問題がある。従って、現在行われている対処方法として、このミネラルを溶解除去すべく、薬剤のクエン酸水に１０時間以上浸漬する洗浄方法が一般に行われている。しかしながら、本方式はミネラルの種類、付着量、低濃度のクエン酸水および浸漬時間が短かい場合は、完全に除去できず、初期性能が確保できないという問題が残っている。頻繁に行う洗浄作業は、非常に手間を要すことも問題としている。
【先行技術文献】
【特許文献】
【０００３】
【特許文献１】特開２０１２−１２５７１５（Ｐ２０１２−１２５７１５Ａ）
【発明の概要】
【発明が解決しようとする課題】
【０００４】  本技術は、従来のような薬剤による電極洗浄作業を必要とせず、運転開始時に自動的に電極の極性を交互に切り替える「逆電解式洗浄方式」を温浴用水素水生成装置に内蔵又は後付けが可能な電気器具の「自動電極極性切り替え器具」を提供することを目的とする。
【課題を解決するための手段】
【０００５】  電源部と電極部がジャックにより接続されており、接続部を容易に取り外しできる装置に於いては、自動極性切り替え器具は、既存の温浴用水素水生成装置と、ジャックにより装着している電極部との間へ、該自動極性切り替え器具を付加して使用することを特徴とする。【０００６】  温浴施設やプール等の大型商業施設に設置される水素水生成装置に於いては、電源装置と電極部を接続する配線の途中に、該自動電極極性切り換え器具を経由し配線することで、既設設備に電極極性切り替え機能を持たせる、或いは新規設備に電極極性切り替え機能を持たせることができることを特徴とする。【０００７】  該自動電極極性切り換え器具は、電源が投入された瞬間又は消滅する瞬間を検知し、電極への電流供給が無くなった状態に於いて、安全に行うことを特徴とする。【０００８】  或いは、該自動電極極性切り換え器具は、極性切り替え機能を制御する回路が、電極を流れる電流値を監視し、予め設定された電流値を下回る状態となり、電極部にスケールが堆積する状態となった場合に、電極部への電源供給を遮断し、電極への電流供給が無くなった状態に於いて、安全に行うことを特徴とする。
【発明の効果】
【０００９】  該自動電極極性切り換え器具は、電極の極性の切り替えを毎回交互に行うことから、電極は適切なタイミングにて自動的に陽極と陰極が切り替わり、陽極の洗浄と同時に、陰極による水素発生が同時に行える。それにより、電極を洗浄する間隔が長くなり、電極の劣化を緩やかにすることを特徴とする。
【図面の簡単な説明】
【００１０】
【図１】小型の電気分解式水素水生成装置に取り付ける場合の図である。
【図２】大型の電気分解式水素水生成装置に取り付ける場合の図である。
【図３】電気分解式水素水生成装置の電源部に内蔵する場合の図である。
【図４】自動電極極性切り換え器具の回路構成図である。
【発明を実施するための形態】
【実施例】
【００１１】  本発明に係る自動極性切り替え器具は、温浴用水素水生成装置に内蔵又は後付けが可能なものとし、電源部と電極部の接続を、ジャックにより容易に取り外しできる装置に於いて、後付けが可能なものとしては、図１に示す通りで、自動極性切り替え器具本体２と、電源ケーブル４とジャック５とからなる。【００１０】  或いは、温浴施設やプール等の大型商業施設に設置される水素水生成装置に於いては、図２に示す通りで、電気分解電極用大型電源１１と大型電気分解電極１３を接続する配線１４の途中に、大型機器用自動電極極性切り換え器具１２を経由し配線することで、既設設備に後付け可能な装置、又は新規設備に取り付け可能な装置となる。【００１２】  また、本発明に係る自動極性切り替え器具を、温浴用水素水生成装置に内蔵する場合は、図３に示す通りで、本体２１のみで良い。また、本発明に係る自動極性切り替え器具の回路図は図４とする。
【符号の説明】
【００１３】  １  電気分解電極用電源部
２  自動電極極性切り換え器具
３  電極
４  電源ケーブル
５  ジャック
６  電極極性切り換え基盤
７  電流制御回路
１１  電気分解電極用大型電源
１２  大型機器用自動電極極性切り換え器具
１３  大型電気分解電極
１４  電源配線
１５  端子
１６  電極極性切り換え基盤
１７  電流制御回路
２１  電極極性切り換え機能付電気分解電極用電源部
３１  直流電源入力端子（プラス極）
３２  直流電源入力端子（マイナス極）
３３  電極用電源出力端子（ａ）
３４  電極用電源出力端子（ｂ）
３５  回路駆動用ＤＣ／ＤＣ電源レギュレータ
３６  回路制御用マイコン回路
【図１】
2018047443.tif 000003
【図２】
2018047443.tif 000004
【図３】
2018047443.tif 000005
【図４】
2018047443.tif 000006